Podtech/llm-jp-corpus-v4-ja_patent huggingface dataset:
(57)【要約】【課題】  従来の洗車ブラシや洗車モップでは、車体と接する先端洗浄部の形状特性により、それだけで、クルマの屋根やボンネットなどの水平面やドアなどの垂直面、また狭い隙間など、クルマの周囲を隈なく楽に短時間で洗浄することができないので、クルマの周囲のあらゆる形状に合わせて対応できる洗車用具を提供することを課題とする。【解決手段】  末端に水道ホースと接続できる中空のパイプの長柄を備えた箒様掃除用具の直毛弾性体に、吸水性の高いカバーを掛けた洗車用具を提供する。【選択図】  図２
2014223240.tif 000002
【特許請求の範囲】
【請求項１】
末端に水道ホースと接続できる中空のパイプの柄を備えた箒様掃除用具の直毛弾性体に、吸水性の高いカバーを掛けて先端洗浄部を構成することを特徴とする洗車用具。
【発明の詳細な説明】
【技術分野】
【０００１】
本発明は、汚れたクルマの周囲をより隈なく楽に短時間で洗浄できる洗車用具に関するものである。
【背景技術】
【０００２】
今まで、汚れたクルマを洗うための洗車用具には、ブラシ状やモップ状の物など各種存在し、またクルマの屋根など、手の届きにくい場所を掃除するために長柄の物なども多数考案されている。（例えば特許文献１、特許文献２、特許文献３）
しかし、どの発明品も、クルマと接する先端洗浄部の形状特性により、使い方が限定され、それだけでクルマの周囲を隈なく楽に短時間で洗うには不十分なものである。
【先行技術文献】
【特許文献】
【０００３】
【特許文献１】特許公開２００９−１９６５９０号
【特許文献２】特許公開２００６−８９００７号
【特許文献３】特許公開２００１−８０４７４号
【発明の概要】
【発明が解決しようとする課題】
【０００４】
本発明が解決しようとする問題点は、従来の洗車ブラシや洗車モップでは、車体と接する先端洗浄部の形状特性により、それだけで、クルマの屋根やボンネットなどの水平面やドアなどの垂直面、また狭い隙間など、クルマの周囲を隈なく楽に短時間で洗浄することができない点である。
【課題を解決するための手段】
【０００５】
本発明は、上記の課題を解決するために、箒様掃除用具の直毛弾性体に、吸水性の高いカバーを掛けて先端洗浄部を構成することを最も主要な特徴とする。
【発明の効果】
【０００６】
本発明の洗車用具は、中空のパイプの長柄を備えた箒様掃除用具の直毛弾性体に、吸水性の高いカバーを掛けて先端洗浄部を構成し、ホースを水道蛇口より長柄の末端に接続して給水することで、先端洗浄部より放水しつつ、当該カバーを擦りつけて洗浄する構造である。
【０００７】
この時、本発明の先端洗浄部は、寝させて擦りつけるだけでなく、中の直毛弾性体を利用して、箒を掃くように擦りつけたり、狭い隙間にすべり込ませたり、細い溝には、かどを押し付けたりするなど、クルマの周囲のあらゆる形状に合わせて対応できるという利点がある。
【０００８】
なお、本発明の付帯効果として、約１０センチメートルまでの積雪を払い落す用具としても極めて優れた機能を有することが実践で確認されている。
【図面の簡単な説明】
【０００９】
【図１】本発明の洗車用具を構成する部材を示す斜視図である。
【図２】本発明の洗車用具を組み合わせ完成状態の斜視図である。
【図３】本発明の洗車用具の一実施例を示す斜視図である。
【図４】本発明の洗車用具の他の実施例を示す斜視図である。
【発明を実施するための形態】
【００１０】
本発明は、これだけで、汚れたクルマの周囲を隈なく楽に短時間で洗浄でき、しかも極めて安価に製造できるものである。本発明の実施形態を図面に基づき説明する。
【実施例】
【００１１】
図1は、本発明の洗車用具を構成する部材を示す説明図である。
（Ａ）は中空のパイプの長柄１と、直毛弾性体２を有した箒様掃除用具である。
（Ｂ）は直毛弾性体２を覆うための吸水性の高い袋状カバーである。扁平な袋状になった底の中央に長柄１を通す穴３があり、広口の渕には口を閉じるためのマジックテープ（登録商標）４が取り付けてある。
【００１２】
なお、図１（Ａ）の直毛弾性体２は、必ずしも植物製や樹脂製の直毛形状でなくとも、弾力性のあるゴムや樹脂製の平面形状をしていても差し支えない。
また、図１（Ｂ）の袋状カバーの開口部は先端に限らず、側面または長柄１を通す穴３のある末端にあっても良く、さらに開口部を閉じる方法は、糸やファスナー等を使っても差し支えない。
【００１３】
図２は、本発明品の組み合わせ完成状態の斜視図である。
本発明の洗車用具は、ホース７を水道蛇口より長柄の末端５に接続して給水することで、吸水性の高いカバー（Ｂ）で覆われた先端洗浄部６より放水しつつ、そのカバーを擦りつけて洗浄する構造である。クルマの屋根やボンネットなど水平な平面部は、先端洗浄部６を寝させて、前後左右に擦りつけて洗う。
【００１４】
図３は、本発明の一実施例を示す斜視図である。
クルマの側面など、垂直に立った平面を洗う場合には、本発明品の長柄を水平に持ち、弾力性を帯びた先端洗浄部６を洗浄面に対し直角にあてがい、ちょうど箒で掃くように先端洗浄部６を左右または上下に擦りつければ、楽に洗浄することができる。
【００１５】
図４は、本発明の他の実施例を示す斜視図である。
クルマのドアミラーと窓の隙間も、本発明品の先端洗浄部６をすべり込ませ、前後に動かせば、ドアミラーと窓が同時に洗浄できる利便性がある。また、窓とドアバイザーの隙間にも、先端洗浄部６をすべり込ませれば、瞬時に洗浄できる。さらに、フロントグリルなど、狭くて細い溝状の場所は、先端洗浄部の角８を押し付けて洗うことができる。
【符号の説明】
【００１６】
１  中空のパイプの長柄
２  直毛弾性体
３  長柄１を通す穴
４  口を閉じるためのマジックテープ（登録商標）
５  長柄の末端
６  先端洗浄部
７  ホース
８  先端洗浄部の角
（Ａ）中空のパイプの長柄１と、直毛弾性体２を有した箒様掃除用具
（Ｂ）直毛弾性体２を覆うための吸水性の高い袋状カバー
【図１】
2014223240.tif 000003
【図２】
2014223240.tif 000004
【図３】
2014223240.tif 000005
【図４】
2014223240.tif 000006
(57)【要約】【課題】高齢者や運動の苦手な人たちに、体力や筋力の衰えを抑える効果が有り、楽しく続けられる、体操プログラムが、望まれている。【解決手段】暮らしに必要な筋力保全効果を自覚でき、楽しく一生続けられる、体操プログラムを、広く知らしめす。【選択図】図１
2014223263.tif 000002
【特許請求の範囲】
【請求項１】
腹筋ストレッチを、易しく実践する為に「長枕」を応用した（図  １を参照）健康体操プログラム。
【請求項２】
七種のストレッチで、全身の筋肉を活躍させ（図  １〜７、を参照）、筋力保全を図る、健康体操プログラム。
【請求項３】
血液とリンパ液の、循環促進を図る「指先ストレッチ」を含む（図  ２を参照）、健康体操プログラム。
【発明の詳細な説明】
【技術分野】
【０００１】  健康体操に関する
【先行技術文献】
【特許文献】
【０００２】
【特許文献１】特開平２００３−１１１８７８
【発明の開示】
【発明が解決しようとする課題】
【０００３】  目的を絞らない体操では、無駄が多く効果を自覚出来ず、楽しく習慣化できない。
高額器具や、派手な体操に迷わされて、お金と時間の無駄使いをさせられている。
【課題を解決するための手段】
【０００４】  この体操プログラムは、１：腹筋、２：指先、３：腕筋、４：胸筋、５：肩筋、６：背筋、７：スクワット、のストレッチを順に、多くて３０回（２：と６：を除く）反復するものです、（図１〜７を参照）（「２：」は、手と足をそれぞれ３回反復する、「６：」は、ゆっくり１回空中を引き下ろす）【０００５】  各ストレッチの反復の速さと回数は、個人の体力や筋力に合わせて、自分で決める。【０００６】  腹筋は、頭を振り回すと脳の毛細血管を壊す恐れが有り、アゴを引いた反復を厳守する。【０００７】  「２：」の「指先ストレッチ」は、血液とリンパ液の循環の促進が目的です、マットに大の字に（腕と脚を伸ばして）仰向けに寝たまま、深呼吸をしながらゆっくり、強く反復します。「手指ストレッチ」の途中に、肩を「すくめたり緩めたり」を、又「足指ストレッチ」の間に、腰を足先方向に「押し下げたり引き付けたり」や「ねじったり」を、さらに足先を手で「暖めながら揉み込む」等の運動を加えると、それぞれ「肩凝り」や「腰痛」や「足先のシビレ」の解消に効果が有ります。【０００８】  腹筋運動は「長枕」を利用すると、老若男女、誰にでも易しく始められる。（図  １参照）【０００９】「腹筋」と「スクワット」は、特に効果が自覚でき、楽しく習慣化できる二大要素です。【００１０】  時々忘れても諦めずに続ける「固い決意！」と、「飲食の腹八分」の「実践！」が、健康維持にも、この体操プログラムの「習慣化」にも、欠かせません。
【発明の効果】
【００１１】  運動の苦手な人達に、筋力の衰えを抑えられ、気軽に一生続けられる、体操プログラムを広げることが出来れば、高齢化に依る「国の医療費の激増」の、軽減が図れる。【００１２】  筋力と体力が保全されれば「ぽっくり逝き！」のための体操として、喜ばれる。
【図面の簡単な説明】
【００１３】
【図１】  腹筋ストレッチ
【図２】  指先ストレッチ
【図３】  腕筋ストレッチ
【図４】  胸筋ストレッチ
【図５】  肩筋ストレッチ
【図６】  背筋ストレッチ
【図７】  スクワット（脚筋ストレッチ）
【発明を実施するための形態】
【００１４】  「水入りアレイ」は、安くて安全で、この体操に愛着が湧く道具なので、唯一購入をお勧めします。（１リットル用ペットボトルで、代用できる）
【００１５】  腹筋ストレッチ用の「長枕」は、簡単に自作できます。
（約４０×９５ｃｍに作った木綿長袋の中に、そば殻枕を二つ収容する）
【産業上の利用可能性】
【００１６】  養生体操プログラムの実技を、ビデオ撮影し、録画媒体に収めて販売する
【符号の説明】
【００１７】  Ａ：腹筋ストレッチ用「長枕」
Ｂ：合成樹脂製水入りアレイ（ペットボトルで代用可）
【図１】
2014223263.tif 000003
【図２】
2014223263.tif 000004
【図３】
2014223263.tif 000005
【図４】
2014223263.tif 000006
【図５】
2014223263.tif 000007
【図６】
2014223263.tif 000008
【図７】
2014223263.tif 000009
(57)【要約】【課題】片手での物品等の挟持を安定的に行うことが可能であり、かつ複数回の使用によっても摩耗や変形等の破損のおそれの少ない、優れた耐久性を有する挟持具の提供を課題とする。【解決手段】本発明は、一体に成り所定の巾厚さを有するアーム部（２）を設けた吊り具体（１）のアーム部（２）の内側奥部（３）を凹形状に形成し、片アーム部の開口部の先端部には、支軸（１３）を形成し支軸（１３）は、支持部（５）と挟持解除指押し部（６）を有し、支持部（５）には巾厚さ断面方向に貫通角穴を形成した、レバー（４）を搖動自由に軸支し、前記レバー（４）の支持部（５）の側面（７）には凹凸形状（８）を設け、又、前記アーム部（２）の他方の片アーム部の開口部の支持部（９）の側面（１０）にも凹凸形状（１１）を設け、前記吊り具体（１）の中央部に掛止突起（１２）を設けて成るものである。【選択図】図１
2014223266.tif 000002
【特許請求の範囲】
【請求項１】
一体に成り所定の巾厚さを有するアーム部を設けた吊り具体のアーム部の内側奥部を凹形状に形成し、片アーム部の開口部の先端部には、支軸を形成し支軸は、支持部と挟持解除指押し部を有し、支持部には巾厚さ断面方向に貫通角穴を形成した、レバーを搖動自由に軸支し、前記レバーの支持部の側面には凹凸形状を設け、又、前記アーム部の他方の片アーム部の開口部の支持部の側面にも凹凸形状を設け、前記吊り具体の中央部に掛止突起を設けて成ることを特徴とする挟持具。
【発明の詳細な説明】
【技術分野】
【０００１】本発明は、挟持具に関するものであり、特に、洗濯の際に使用される洗濯ばさみ（ピンチ）、或いは書類挟みまたはクリップ等の文房具類に利用可能に形成され、レバー形状のアームが搖動することにより洗濯物を挟み込んで保持する挟持具に関するものである。
【背景技術】
【０００２】従来から、バネの弾性力を利用して物品を挟持する洗濯ばさみ等の挟持具が種々の分野及び用途において数多く用いられている。例えば一般的な洗濯ばさみについて例示すると、一対の挟持片同士を軸部で軸支し、挟持片の一端部同士が近接するようにリング状のバネを利用して付勢するものが知られている。この従来品を使用して衣類等を挟持具に挟持している状態にする場合は、片手の親指等と人指し指等にて洗濯挟みの把持部の一対を挟みこんで、挟持部を開いて、その挟持部の間のスペースに物品を挿入する必要があった。すなわち、係る物品の挟持動作は、原則的に両手で行うものであった。【０００３】
【特許文献１】特開２０１２−１２５４４６
【発明の概要】
【発明が解決しようとする課題】
【０００４】これは次のような欠点があった。片手の親指等や人指し指等が不自由な方とか、指先の力の弱い高齢者等の方は、洗濯挟みの把持部の一対を挟みこんで、挟持部を開き挟持部同士を離間させた状態を保持しながら、その挟持部の間のスペースに物品を挿入するのは困難であった。本発明は、以上のような欠点をなくすためになされたものである。
【課題を解決するための手段】
【０００５】上記の課題を解決するため、本発明の挟持具は、アーム部（２）を設けた吊り具体（１）と、レバー（４）を設けている。本発明は、以上の構成よりなる挟持具である。
【発明の効果】
【０００６】本発明の効果によれば、片手のみにて洗濯物を挟持具に差し込むだけで挟持状態にできるので迅速に作業できる。
【図面の簡単な説明】
【０００７】
【図１】本体の正面図
【図２】吊り具体の斜視図
【図３】レバーの斜視図
【図４】本体の平面図
【図５】図４Ａ−Ａ断面図
【発明を実施するための形態】
【０００８】以下、本発明を実施するための最良の形態について説明する。実施例として、図１、図２、図３、図４、図５によって挟持具に基づいて説明する。図１は本体の正面図、図２は吊り具体の斜視図、図３はレバーの斜視図、図４は本体の平面図、図５は図４のＡ−Ａ断面図である。この挟持具に各種の洗濯物を取り付けるときは片手で洗濯物を把持し、レバー側挟持部とアーム本体側の挟持部分との間に挿入するとレバーは洗濯物の挿入力に押されて開口し、洗濯物を挟み込むことになるから手を離せばアーム形状のレバーは重量により戻ることと、レバー支持部の凹凸形状に洗濯物が引っ掛かることにより、挿入された洗濯物をはさみこんで抑止するようになる。洗濯物を挟持解除するには、挟持解除指押し部を押す。
【符号の説明】
【０００９】１    吊り具体
２    アーム部
３    内側奥部
４    レバー
５    支持部
６    挟持解除指押し部
７    側面
８    凹凸形状
９    支持部
１０  側面
１１  凹凸形状
１２  掛止突起
１３  支軸
【図１】
2014223266.tif 000003
【図２】
2014223266.tif 000004
【図３】
2014223266.tif 000005
【図４】
2014223266.tif 000006
【図５】
2014223266.tif 000007
(57)【要約】      （修正有）【課題】高断熱資材の巻き取りや展張を可能とする長い距離を一定の力でけん引することのできる装置を提供する。【解決手段】ケース１の中のテープまたは紐２をウェイト３に取り付けた複数のローラー４とケース上部の複数のローラ５の間を通すことにより、テープ２の先端部がウェイト３に取り付けたローラー４とケース上部のローラ５の間の距離Ｌの数倍の長さまで一定のけん引力を有するようにした装置とする。【選択図】図１
2014223049.tif 000002
【特許請求の範囲】
【請求項１】
図面１において、ケース１の中のテープまたは紐２をウェイト３に取り付けた複数のローラー４とケース上部の複数のローラ５の間を通すことにより、テープ２の先端部がウェイト３に取り付けたローラー４とケース上部のローラ５の間の距離Ｌの数倍の長さまで一定のけん引力を有するようにした装置
【発明の詳細な説明】
【産業上の利用分野】
【０００１】  日本においては石油資源のほとんどを中東などの海外に依存しており、また地球温暖化防止の観点からも省エネルギー生産技術は極めて重要である。日本には５万ｈａの農業用ハウスがあり、周年的に野菜等の生産物を供給し生活を潤しているが、冬季における暖房には重油等の石油資源を多く利用しており、莫大な量が消費されている。このような農業用ハウスの省エネルギーのために、農業用フィルムを利用しているが、省エネルギーをさらに推進し重油等の石油資源の使用を低減していくには、夜間には熱の散逸を防ぐ光を通さない高断熱資材で覆う必要がある。一方昼間は、植物は光合成により果実を生産するため、高断熱資材は巻き取ってなるべく光が植物に当たるようにすることが求められる。
このような高断熱資材でも巻き取り及び展張がスムーズに行えるようにするには、長い距離を適当なけん引力で引っ張りながら巻き取りや展張をすることができるような装置が必要であり、また高断熱資材は傷つきやすいためテープ状のものでけん引する必要がある。これまで、そのようなものが無く、高断熱資材による一層の省エネルギーの普及が困難であった。
本発明は、このような高断熱資材の巻き取りや展張を可能とする長い距離を一定の力でけん引することのできる装置である。
【背景技術】
【０００２】  従来、農業用ハウスの冬季の省エネルギーのために様々な技術が検討されてきた。省エネルギーのための高断熱資材の被覆技術も検討されてきている。しかしながら、これらは単棟の農業用ハウスにおける重力を利用してけん引力を発生する技術であり、日本の農業用ハウスの主力である連棟ハウスでの高断熱資材による被覆技術は遅れているのが現状である。
【発明が解決しようとする課題】
【０００３】  このような状況であるため、高断熱資材を巻き取り及び展張するために資材全体を一定の加重でけん引する必要がある。農業用のハウスは間口が５ｍ以上のものが多く、その上部を高断熱資材で開閉するには５ｍ以上の間を一定のけん引力で高断熱資材を引っ張っておく必要があったが、そのようなものがなく高断熱資材の導入が遅れていた。
【課題を解決するための手段】
【０００４】  いま、その構成を図１により説明すると、
（イ）ケース１の中のテープ２をウェイト３に取り付けたローラー４とケース上部のローラ５の間を図のように通す。この場合、ウェイト３は４本のテープで支持されているために、テープ２の先端部６及び７にかかるけん引力はウェイト３の加重をＷとするとＰ＝Ｗ／４である。一方で、本体上部のローラ５とウェイト３のローラ４の間の距離をＬとすると、ウェイトが上まで上がってＬ＝０となるまでにテープ先端６は４Ｌだけ伸びることになる。この間、一定のけん引力Ｐがテープ先端６及び７に作用する。
（ロ）また、５ｍ以上の間けん引力を作用させるには、最初のローラ間の距離Ｌは５／４＝１．２５ｍ以上必要である。一般の農業用ハウスの軒高は２ｍ程度であり、ケース上部のローラや下部のウェイトの部分を考慮しても十分設置が可能である。
【実験例】
【０００６】  フィルムの巻き取りについて、けん引力を作用させないで巻き取ることはある程度可能であるが、フィルムを展張する場合にけん引力を作用させないと全面への展張が困難であった。一方で、常にけん引力を作用させながら行うと、フィルムの巻き取り及び展張がスムーズであった。
【発明の効果】
【０００７】  日本の施設園芸は安価な石油資源を利用することにより発展し、周年的に野菜や果物を供給できるようになった。しかしながら、石油資源の偏在や地球環境問題などから、農業施設においても省エネルギーの必要性が重要となってきている。石油資源をなるべく使用しないで植物の生育環境を維持するためには、夜間に高断熱資材で生育環境を覆うことが重要である。一方、昼間は植物は光合成による生産活動を行うために、光が植物になるべく多く到達することが求められ、高断熱資材はなるべくコンパクトに収納される必要がある。このためには、巻き取りによる収納が最も効果的であり、スムーズな巻き取り及び展張のためには高断熱資材を適度にけん引しておく必要がある。
本発明によるけん引装置はこの要望に応えるものであり、施設の省エネルギー化がさらに進展し、石油資源に依存しない施設園芸の構築を目指すものである。
【図面の簡単な説明】
【図１】  本発明による長い距離を一定の力でけん引する装置
【符号の説明】  １はケース
２はけん引用のテープまたは紐
３はウェイト
４はウェイトに取り付けたローラ
５はケース上部に取り付けたローラ
６及び７はテープ先端部
８はウェイト側部に取り付けたガイドローラ
【図１】
2014223049.tif 000003
(57)【要約】      （修正有）【課題】思わぬ脱落に依る、再マークにかかる無駄な時間を解消し、ユーザーの信頼を確立出来る栞を提供する。【解決手段】しおり用紐５をダブルクリップ背部４に固定し、本や書類の表紙に狭着する。【選択図】図２
2014223779.tif 000002
【特許請求の範囲】
【請求項１】
「ダブルクリップ」（図  ２を参照）に紐を固定した、着脱が簡単で、脱落しにくく、じゃまにならない、しおり。
【請求項２】
固定した紐を、「ダブルクリップ」の背部（図  ２の符号４を参照）に巻きつけて、長さを調節し、大きさの異なる本や書類に、使い回せる、しおり。
【発明の詳細な説明】
【技術分野】
【０００１】  しおりに関する
【背景技術】
【先行技術文献】
【０００２】  紙片に糊を塗って粘着させる「付箋」（例えば実用新案文献  １を参照）
【０００３】  「ゼムクリップ」に紐を固定した「栞」（例えば実用新案文献  ２を参照）
【特許文献】
【０００４】
【特許文献１】  特開  ２００３−２６６９７１
【非特許文献】
【０００５】
【実用新案文献１】
実開平  ８−１０６７３号
【実用新案文献２】
実用登録  第３０８６５９４号
【発明の概要】
【発明が解決しようとする課題】
【０００６】  従来の、紙片栞や付箋では、思わぬ脱落で、マークポイントの再考に、貴重な時間を奪われている【０００７】  ひも付きゼムクリップ栞（図  ４を参照）は、狭着力不足で使われていない。
【課題を解決するための手段】
【０００８】  「ダブルクリップ」（図  ２を参照）に、しおり用ひもを固定した。
【発明の効果】
【０００９】  本発明のしおりは、着脱が簡単で跡を残さず、狭着力はゼムクリップの五倍以上（約５００ｇ）有り、思わぬ脱落が、激減する。【００１０】  「ダブルクリップ」の、把っ手用バネが収納出来るので（図  １と２の、符号３を参照）、本や書類へ多数使用しても、移動や集積の、じゃまにならない。
【図面の簡単な説明】
【００１１】
【図１】  本発明の任用図
【図２】  本発明の斜視図
【図３】  特許文献１（自動しおり）の任用斜視図
【発明を実施するための形態】
【００１２】  約３５ｃｍのしおり用紐を「ダブルクリップ背部」（図  ２の符号４を参照）に固定し、数回巻きつけて長さを調節すれば、「Ａ４サイズ」以下の書類や本の、しおりとして使い回しできる。
【００１３】  一個のしおりに、複数本の紐を固定すれば、複数のマークを同時に設定できる。
【００１４】  「ダブルクリップ」に「自動しおり」（特許文献１と、図３を参照：嘴状の先端が自動的に見開きページに移る）を固定すれば、「脱落し難く」、さらに「ページマークをする手数を省略できる」しおりが、提供できる。
【符号の説明】
【００１５】１：「ダブルクリップ」本体
２：「ダブルクリップ」の着脱用把っ手
３：収納された把っ手
４：「ダブルクリップ」の背部
５：クリップしおりの紐部
６：「自動しおり」本体
【図１】
2014223779.tif 000003
【図２】
2014223779.tif 000004
【図３】
2014223779.tif 000005
(57)【要約】【課題】      ユーザがＩＤ／ＰＡＳＳを生成・管理・使用することは安易で脆弱なパスワードを生成したり、ＩＤ／ＰＡＳＳをシステムごとに覚えることは煩雑だったり、また使い回すことによりユーザがＩＤ／ＰＡＳＳを生成・管理・使用することは困難を極める課題である。また、ＩＤ／ＰＡＳＳのセキュリティを補強するためのワンタイムパスワードは物理的なトークンを持ち運ぶ必要があり、またワンタイムパスワードが書かれたメールを都度送受信する必要があるため、煩雑であった。【解決手段】      ユーザ本人しか知り得ない長期記憶情報（１）を利用しパスワードを生成する必要をなくし、長期記憶情報（１）を暗号化した鍵（２）と時間から計算されるハッシュ値のみを用いて認証を実施する。すなわちユーザの長期記憶情報を利用したワンタイムパスワードのみを利用した認証システムであることが特徴である。【選択図】図１
2014179051.tif 000002
【特許請求の範囲】
【請求項１】
（イ）  ユーザ本人しか知り得ない長期記憶情報（１）を利用する。
（ロ）  長期記憶情報（１）を暗号化して鍵（２）とする。
（ハ）  鍵（２）を暗号化したワンタイムパスワード（３）のみで認証を行う。
以上の構成によりなる、ユーザの長期記憶情報を利用したワンタイムパスワードのみで認証を行うシステムである。
【発明の詳細な説明】
【技術分野】
【０００１】      この発明は、ユーザの長期記憶情報を鍵としワンタイムパスワード認証を実現する、ユーザの長期記憶情報を利用したワンタイムパスワードのみで認証を行うシステムである。
【背景技術】
【０００２】      従来、認証方式はＩＤ／ＰＡＳＳ方式が主に使われており、それを補強する形でワンタイムパスワードが用いられていた。
【特許文献１】  特開２００３−１８６８３７
【特許文献２】  特開２００３−１８６８３８
【非特許文献１】
【非特許文献２】
【発明の開示】
【発明が解決しようとする課題】
【０００３】これは、次のような欠点があった。
（イ）  ユーザがＩＤ／ＰＡＳＳを管理することが煩雑であること。
（ロ）  ＩＤに公開情報であるメールアドレスが使われることが多く脆弱なこと。
（ハ）  ユーザが考え得るパスワードのほとんどは攻撃に耐えられないこと。
（ニ）  ユーザがＩＤ／ＰＡＳＳの使い回しをする為脆弱な状況が発生していること。
（ホ）  ワンタイムパスワード（３）を使用する目的がＩＤ／ＰＡＳＳの補強であるため、ほとんどの場合一システムでのみしか利用出来ないこと。
（ヘ）  ワンタイムパスワード（３）に物理的なトークンを用いる場合に持ち運びが煩雑なこと。
（ト）  メールによるワンタイムパスワード認証方式が広がりつつあるが、認証の度にメールの送受信が必要で煩雑であること。
本発明は、以上のような欠点を無くすためになされたものである。
【課題を解決するための手段】
【０００４】（イ）  ユーザは認証クライアントソフトウェア（４）をインストールする。
（ロ）  ＩＤ／ＰＡＳＳは利用せず、ユーザ本人しか知り得ない長期記憶情報（１）を利用する。利用される長期記憶情報（１）は他ユーザには推測されない複数項目である。
（ハ）  ユーザは長期記憶情報（１）を、認証クライアントソフトウェア（４）を用いて認証サーバ（５）にあらかじめ登録する。
（ニ）  認証サーバ（５）は登録された長期記憶情報（１）を暗号化し鍵（２）とし、保持する。
（ホ）  認証クライアントソフトウェア（４）は認証サーバ（５）同様に暗号化し、鍵（２）を生成し保持する。ここまでの手順は初回のみ行う。
（ヘ）  ユーザが認証を行いたい場合、ユーザはソフトウェア（４）を起動する。
（ト）  認証クライアントソフトウェア（４）は鍵（２）を、現在時間をシードとして暗号化し、ハッシュ値（６）を認証サーバ（５）へ送信する。
（チ）  認証サーバ（５）は一定時間間隔で時間をシードとして認証ハッシュ値（７）を計算しておき、ユーザが起動した認証クライアントソフトウェア（４）から送信されたハッシュ値（６）と認証ハッシュ値（７）が一致すれば認証可能とする
本発明は以上の構成よりなるユーザの長期記憶情報を利用したワンタイムパスワードのみで認証を行うシステムである。
【発明の効果】
【０００５】この発明は次のような効果が期待出来る。
（イ）  脆弱なＩＤ／ＰＡＳＳの仕組みに取って代わることが出来る
（ロ）  ユーザが鍵（２）を紛失してもユーザの長期記憶情報（１）を利用しているため、ユーザは再発行が容易である（同一の情報を入力するだけである）。
（ハ）  この形式のクライアントサーバーモデルであれば汎用性のあるワンタイムパスワードシステムとすることが出来る。例えば複数のＷｅｂサイトの認証を１つのシステムが行うことが可能である。
（ニ）  ソフトウェアとすることで物理的なトークンを持ち運ぶ必要が無い。
（ホ）  ソフトウェアとすることでＷｅｂブラウザのアドオンやスマートフォンのアプリなど、様々な端末をトークンとすることが出来る。
（ヘ）  ユーザは認証クライアントソフトウェア（４）を起動するだけなので（ソフトウェアは認証処理が終わり次第自動的に終了する）煩雑な思いをしない。
【発明を実施するための最良の形態】
【０００６】以下、本発明を実施するための最良の形態について説明する。
（イ）  利用される長期記憶情報（１）は複数項目からユーザが任意で選択し入力する。複数項目とすることにより、ユーザが最も回答しやすい項目を選択出来るようになるだけで無く、他ユーザはどの項目を選択したか推測しづらいため、その分セキュアになる。
（ロ）  ユーザが長期記憶情報（１）を認証サーバ（５）にあらかじめ登録する場面ではＷｅｂベースのインタフェースを提供する。これによりユーザは見慣れているインタフェースで登録することが出来る。
（ハ）  ワンタイムパスワード認証方法自体は従来手法であるが、ワンタイムパスワードのみでの認証とするため、使われる暗号方式は強固な方式を用いる。
（ニ）  認証クライアントソフトウェア（４）の起動は簡便なものとし、キーボードのショートカットキーやマウスジェスチャーのような仕組みから起動出来る程度に簡便なものとする。そしてユーザは認証クライアントソフトウェア（４）を起動するのみで済むようにする。
（ホ）  認証クライアントソフトウェア（４）は至って単純に構成することが出来るため、各ＯＳにネイティブなソフトウェアの開発が容易であるが、Ｗｅｂブラウザのプラグインやアドオンとすることにより、認証が必要なタイミングになった時点で自動的に認証作業を可能とすることが出来る。
【図面の簡単な説明】
【０００７】
【図１】  本発明のシステム構成図である
【符号の説明】
【０００８】１  長期記憶情報
２  鍵
３  ワンタイムパスワード
４  認証クライアントソフトウェア
５  認証サーバ
６  ハッシュ値
７  認証ハッシュ値
【図１】
2014179051.tif 000003
(57)【要約】【課題】  本発明は事務所などの机の下では、夏は冷房で足が冷え、冬は暖房をつけても足の冷えで困っている人が多かったので、たとえば、電気保温器やひざ掛けを利用して足の冷えを防ぐが、電気を使わないで足の冷えを保護できるよう工夫した机の下の足の冷えカバーを提供する。【解決手段】  大きさが、大小のドーム型足カバーａ（１）、ドーム型足カバーｂ（２）に底面（３）を設け、ドーム型足カバー（４）の底面（３）に折れ部（５）を設け、ドーム型足カバー（４）と底板（６）を組み合わせた足の冷えカバーで、素材をアルミ保温シートと発泡スチロールを使用し、折り畳み式で電気を使わないで冷えから足を保護することができることを特徴とする足の冷えカバー。【選択図】図３
2014133966.tif 000002
【特許請求の範囲】
【請求項１】
大きさが、大小のドーム型足カバーａ（１）、ドーム型足カバーｂ（２）に底面（３）を設け、ドーム型足カバー（４）の底面（３）に折れ部（５）を設け、ドーム型足カバー（４）と底板（６）を組み合わせた足の冷えカバーで、素材をアルミ保温シートと発泡スチロールを使用し、折り畳み式で電気を使わないで冷えから足を保護することができることを特徴とする足の冷えカバー。
【発明の詳細な説明】
【技術分野】
【０００１】  本発明は事務所などの机の下では、夏は冷房で足が冷え、冬は暖房をつけても足の冷えで困っている人が多かったので、たとえば、電気保温器やひざ掛けを利用して足の冷えを防ぐが、電気を使わなくとも足の冷えを保護できるよう工夫した机の下の足の冷えカバーに関するものである。
【背景技術】
【０００２】  従来、机の下では足の冷えを防ぐには、毛布などのひざ掛けを使用していた。
備長炭の保温効果を利用して、足の冷え特につま先の冷えを防止するために屋外や屋内を問わず使用でき、かつ経済的で安全な足の保温カバーが提供されている（特許文献１参照）。
【先行技術文献】
【特許文献】
【０００３】
【特許文献１】  登録実用新案第３０８７１１５号公報
【発明の概要】
【発明が解決しようとする課題】
【０００４】  そのために、次のような問題点がある。
机の下での足の冷えは、電気足温器を利用するか、ひざ掛けを利用して足の冷えを防いでいた。
人数が２人〜３人位なら電気足温器を使えるが、人数が多い事務所では全員が電気を使うのは契約電力の関係で難しかった。
それで、ひざ掛けのみで使っているが、そのひざ掛けも滑り落ちることがあった。
本発明は、以上の問題点を解決するものである。
【課題を解決するための手段】
【０００５】  大きさが、大小のドーム型足カバーａ（１）、ドーム型足カバーｂ（２）に底面（３）を設け、ドーム型足カバー（４）の底面（３）に折れ部（５）を設け、ドーム型足カバー（４）と底板（６）を組み合わせた足の冷えカバーで、素材をアルミ保温シートと発泡スチロールを使用し、折り畳み式で電気を使わないで冷えから足を保護することができることを特徴とする足の冷えカバー。
【発明の効果】
【０００６】  本発明は、電気を使用せず足の冷えをカバーすることができ、折り畳み式なので持ち運びが簡単にできどこででも利用できる机の下の足のカバーである。
【図面の簡単な説明】
【０００７】
【図１】  （Ａ）、（Ｂ）は、本発明の使用状態を示した説明図である。
【図２】  本発明の底板の斜視図である。
【図３】  本発明の分解斜視図である。
【発明を実施するための形態】
【０００８】  以下、本発明の実施の形態について説明する。
大きさが、大小のドーム型足カバーａ（１）、ドーム型足カバーｂ（２）に底面（３）を設ける。
ドーム型足カバー（４）の底面（３）に折れ部（５）を設ける。
ドーム型足カバー（４）と底板（６）を組み合わせた足の冷えカバーで、素材をアルミ保温シートと発泡スチロールを使用し、折り畳み式で電気を使わないで冷えから足を保護することができることを特徴とする足の冷えカバー。
袋を広げ使用するときは、底の中側と外側のアルミ保温シートを固く軽い発泡スチロールの底板二つが一枚になっているものではさみ込む。
底面の外側面のアルミ保温シートが破れないようにするためと、この様に発泡スチロールの板ではさみ込むことでアルミ保温シートのドーム型がくずれなく、直ぐに立ち上げることができる。
足の出し入れも自由にできる。
本発明は、寒い冬の冷えからと、暑い夏の冷房の冷えから足を守ることができる。
ドーム型の袋状にするため、アルミ保温シートを利用し、二枚が一つになっている発泡スチロールの板でアルミ保温シートの底面をはさみ込む様に差し込みドーム型の袋状に立ち上げ、二つに折り畳むこともでき、軽いので移動が楽にでき、電気を使わないことを特徴とする。
本発明はアルミシートの裏に発泡スチロールを張ったアルミ保温シートを利用し、ドーム型の袋状で底面を持ち上げて二つ折りに畳むことができる。
使用するときは、底面を広げ固く軽い発泡スチロールで底面のアルミ保温シートを中側からと外側からはさみ込む。
アルミ保温シートが破れない様にするため、外側も固く軽い発泡スチロールでおおう。
靴を履いたままでも、靴を脱いでも使える。
【符号の説明】
【０００９】１  ドーム型足カバーａ
２  ドーム型足カバーｂ
３  底面
４  ドーム型足カバー
５  折れ部
６  底板
【図１】
2014133966.tif 000003
【図２】
2014133966.tif 000004
【図３】
2014133966.tif 000005
(57)【要約】      （修正有）【課題】既存の風邪用マスクは風邪の予防等には有効と思われるが、外見を隠すメリットを活かしきれていない。風邪予防または拡散防止、花粉対策と同時に口まわり美容を兼ねることのできるマスクを提案する。【解決手段】風邪用マスクが本来の風邪予防・拡散防止・花粉対策等の層Ａおよび美容目的として皮膚に密着させる美容液等が染み込んだ層Ｂと性質の異なる複数の層で構成されることを特徴とする。通勤途中での風邪予防、拡散防止およびに自然な形での美容を兼ねた利用が可能になる。【選択図】図１
2014133069.tif 000002
【特許請求の範囲】
【請求項１】
風邪用マスクにおいて通常のガーゼなどで構成される表面Ａおよび裏面Ｂ（皮膚に密着する側）に美容液等が染み込んだ層で構成されるマスク（図１）
【請求項２】
請求項１に関連し、裏面Ｂの唇が当たる付近に切れ込みまたは空洞を配することにより呼吸や話すことを容易とするマスク（図２）
【請求項３】
請求項１に関連し、裏面Ｂの鼻孔が当たる部分に空洞を配することにより呼吸を容易とするマスク（図３））
【請求項４】
請求項１に関連し、表面Ａと裏面Ｂの間に液体を通しにくい中間層Ｃを配することにより表面Ａに裏面Ｂの液体が染み込むのを防ぐことが可能なマスク（図４）
【請求項５】
請求項２、３および４に関連し、呼吸口付近に切れ込みまたは空洞を配した中間層Ｃを持つマスク
【請求項６】
請求項１を眼帯に応用した、美容を兼ねた眼帯。
【発明の詳細な説明】
【技術分野】
【０００１】本発明は、美容を兼ねた風邪用マスクに関するものである。
【背景技術】
【０００２】従来の風邪用マスクは風邪予防・拡散防止・花粉対策のためのものとなっているが、口元付近を大きく隠し外見を悪くするに見合った効果を活かしきれていない。
【先行技術文献】
【特許文献】
【特許文献】なし
【非特許文献】
【非特許文献】なし
【発明の概要】
【発明が解決しようとする課題】
【０００３】解決しようとする問題点は、風邪用マスクは口元付近を大きく隠すが呼吸口付近以外の部分は皮膚を隠すだけで十分に活用されていない点にある。
また、通常の美容マスクは他人に見られることを想定されておらず自宅等で使用することが一般的であるため外出中に使用することが困難である。
【課題を解決するための手段】
【０００４】本発明は、風邪用マスクが本来の風邪予防・拡散防止・花粉対策等の層および美容目的として皮膚に密着させる層など性質の異なる複数の層で構成されることを特徴とする。
【発明の効果】
【０００５】本発明の風邪用マスクにより風邪の予防または拡散防止、花粉対策と同時に口まわりの美容を同時に兼ねることができる。
これにより通勤途中・オフィスにいる間に風邪予防等と同時に自然な形で美容を兼ねることが可能となる。
【図面の簡単な説明】
【０００６】
【図１】ガーゼ等のＡ層および美容液等が染み込んだＢ層から成るマスクを示した図である。
【図２】図１のＢ層に口元の通気を追加した図である。
【図３】図１のＢ層に鼻元の通気を追加した図である。
【図４】図１のＡ層とＢ層の間に遮断するためのＣ層を追加した図である。
【発明を実施するための形態】
【０００７】図面を参照しながら本発明の実施の形態を説明する。図１は本発明の基本的な構成を示しており、通常の風邪用マスクとして使用される層Ａおよび美容液等が染み込んだ層Ｂから成る。
【実施例】
【０００８】風邪の流行時や花粉の季節に本発明の美容を兼ねた風邪用マスクを通勤中の電車の中や職場で使用することにより、風邪対策等と共に口元やその周辺の美容を兼ねることができる。
【産業上の利用可能性】
【０００９】本発明により以下の使用法が可能となる。
・通勤途中での風邪予防・拡散防止および自然な形での美容を兼ねた利用。
・空気が乾燥していたりタバコの煙により肌が気になる職場等での肌の防御。
・風邪予防・拡散防止・花粉対策と口元の美容を兼ねての自宅での利用。顔面パックとは異なり事由に移動することが可能となる。
【符号の説明】なし
【受託番号】なし
【配列表フリーテキスト】なし
【図１】
2014133069.tif 000003
【図２】
2014133069.tif 000004
【図３】
2014133069.tif 000005
【図４】
2014133069.tif 000006
(57)【要約】【課題】既存の洗濯機や乾燥機は、回転方向面が決まっているため洗濯・乾燥で動作させる回転面に自由度がないため、洗濯・脱水・乾燥に対する効率や時間に必ずしも効果的な結果を生み出すとは限らない。そこで本発明では球状の洗濯槽により、どの方向にも回転が可能な洗濯機・乾燥機を提案する。【解決手段】本発明は、洗濯機・乾燥機・洗濯乾燥機において球状の洗濯槽を持ち、洗濯・脱水・乾燥において自由な回転面を考慮した制御が可能であることを特徴とする。洗濯槽の表面に浮揚し回転するための必要十分数の永久磁石を配置し、洗濯機本体には必要十分数の電磁石を配置し、制御装置により洗濯槽が浮揚・回転するように制御を行う。制御には洗濯機本体に配置した電磁石のＮ極またはＳ極を移動させることにより、洗濯槽の永久磁石を引き付けるまたは反発する力を利用する。【選択図】図１
2014133070.tif 000002
【特許請求の範囲】
【請求項１】
洗濯機・乾燥機において球状の洗濯槽１および１の周りに配置された永久磁石２および洗濯機・乾燥機本体に配置された電磁石３および制御装置４により構成される機器。（図１）
【請求項２】
請求項１に関連し、制御装置の制御ソフトウェアを外部インタフェース（無線ＬＡＮ・赤外線・Ｂｌｕｅｔｏｏｔｈなどの無線機器、ＳＤカード・ＵＳＢなどの接続）により更新できる機能を持つ洗濯機・乾燥機。これにより、より最適な制御方法が開発された場合にソフトウェアのアップデートのみで効率の良い制御を達成することが可能となる。
【発明の詳細な説明】
【技術分野】
【０００１】本発明は、球状の洗濯槽を持つ洗濯機・乾燥機・洗濯乾燥機に関するものである。
【背景技術】
【０００２】従来の洗濯機や乾燥機は、円筒型の洗濯槽により、水平方向・ドラム式なら垂直方向など回転面が決まっているため、回転速度や時間は制御可能であるが完全に自由な回転面の制御は不可能であった。このため、従来の洗濯機・乾燥機が最適な洗濯・脱水・乾燥の質や時間を実現しているとは限らない。
【先行技術文献】
【特許文献】
【特許文献】なし
【非特許文献】
【非特許文献】なし
【発明の概要】
【発明が解決しようとする課題】
【０００３】解決しようとする問題点は、従来の洗濯機・乾燥機が固定の回転面のため、回転面までも考慮した動作を制御できない点である。このため従来の洗濯・脱水・乾燥のための制御が限られたものとなり最適であるとは限らない。
【課題を解決するための手段】
【０００４】本発明は、洗濯機・乾燥機において球状の洗濯槽を持ち、洗濯・脱水・乾燥において回転面を考慮した制御が可能であることを特徴とする。
回転のために洗濯槽の表面に浮揚するための必要十分数の永久磁石を配置し、洗濯機本体には必要十分数の電磁石を配置し、制御装置により洗濯槽が浮揚・回転するように制御を行う。
制御には洗濯機本体に配置した電磁石のＮ極またはＳ極を移動させることにより、洗濯槽の永久磁石を引き付けるまたは反発する力を利用する。
【発明の効果】
【０００５】本発明の洗濯機・乾燥機は洗濯・脱水・乾燥において自由な回転面を持つ。これにより洗濯・脱水・乾燥それぞれに対し、また洗濯物の量に応じたきめ細かな制御を行うことが可能となり、洗濯・脱水の効果が上がったり、それぞれに要する時間が短縮される可能性がある。
また、従来のモーター機構を持たないため、低騒音やサイズを小型にする等デザインの自由度の実現が可能である。
【図面の簡単な説明】
【０００６】
【図１】球状の洗濯槽・その周辺に配置された永久磁石・電磁石を配置した洗濯機本体・それらを制御する制御装置から構成される洗濯機を示した図である。
【発明を実施するための形態】
【０００７】図面を参照しながら本発明の実施の形態を説明する。図１は本発明の基本的な構成を示しており、球状の洗濯槽・その周辺に配置された永久磁石・電磁石を配置した洗濯機本体・それらを制御する制御装置から成る。
【実施例】
【０００８】洗濯槽が球状になった洗濯機・乾燥機・洗濯乾燥機を用いて洗濯・脱水・乾燥を行う。
【産業上の利用可能性】
【０００９】本発明の洗濯機・乾燥機・洗濯乾燥機を用いることにより以下の制御が可能となる。
・洗濯・脱水・乾燥それぞれの際に洗濯槽の回転面を垂直方向・水平方向・斜め方向等組み合わせた制御を行う。
・上記により洗濯・脱水・乾燥効率の上昇や洗濯・脱水・乾燥時間の短縮を実現できる可能性がある。
・また、従来の洗濯機のモーターとは全く機構が異なるため低騒音が実現可能である。
・また、従来の洗濯機のモータとは全く機構が異なるため、洗濯機自体のデザインが全く異なるものになる可能性がある。
【符号の説明】なし
【受託番号】なし
【配列表フリーテキスト】なし
【図１】
2014133070.tif 000003
(57)【要約】【課題】フライパンにて調理中、肉や魚の脂が周囲にはねる問題を解決するため本願発明の考案に至った。また、適度に脂を吸収しカロリーを下げ、ヘルシーに調理をすることを目的としている。【解決手段】市場で販売されるクッキングペーパー落とし蓋の素材で作られた、フライパン油とり圧着ペーパーである。フライパンで肉や魚を調理する際、この油とり圧着ペーパーをはじめから食材と一緒に調理することによって不必要な脂を効果的に吸収することができ、また調理中の脂の調節を便利に行うことができることを目的としている。【選択図】図１−１
2014133073.tif 000002
【特許請求の範囲】
【請求項１】
市場で販売されるクッキングペーパー落し蓋の材質で作られたフライパン油とり圧着ペーパーの使用用途を請求する。
【請求項２】
フライパン油とり圧着ペーパーで３つのデザイン（魚の切り身、骨付きカルビ、桜の花びら）の圧着されたものを請求する。
【発明の詳細な説明】
【発明の概要】
【発明が解決しようとする課題】
【０００１】フライパンにて調理中、肉や魚の脂が周囲にはねる問題を解決するため本願発明の考案に至った。
また、適度に脂を吸収しカロリーを下げ、ヘルシーに調理をすることを目的としている。
【課題を解決するための手段】
【０００２】市場で販売されているクッキングペーパー落とし蓋の素材で作られたフライパン油とり圧着ペーパーである。
フライパンで肉や魚を調理する際、この油とり圧着ペーパーをはじめから食材と一緒に調理することによって不必要な脂を効果的に吸収することができ、また調理中の脂の調節を便利に行うことができることを目的としている。
【発明の効果】
【０００３】廃油凝固剤の不必要になることにより使用後のフライパン掃除が簡易になる。
蓋付フライパンを取ったときの脂の跳ねを抑えることができる。
天ぷら敷紙の不必要。一般のフライパンを効果的に使うことができる。
【図面の簡単な説明】
【０００４】使用用途や機能はどれも同じで、デザインのみ異なる。
【図１−１】フライパン油とり圧着ペーパー  魚の切り身モデル。
【図１−２】フライパン油とり圧着ペーパー  骨付きカルビモデル。
【図１−３】フライパン油とり圧着ペーパー  桜の花びらモデル。
【発明を実施するための形態】
【・・・・】
【実施例】
【・・・・】
【産業上の利用可能性】
【０００５】食材の脂を調節することによりカロリーを抑えることができ、ヘルシーに調理できる。
【符号の説明】
【０００６】
【・・・・】
【受託番号】
【・・・・】
【図１−１】
2014133073.tif 000003
【図１−２】
2014133073.tif 000004
【図１−３】
2014133073.tif 000005
(57)【要約】【課題】    本発明は浴室や洗面所で使う洗面器である。通常は床においたり風呂椅子に立て掛けたりと特定の収納場所がないため、吊るして収納できる洗面器を提供する。【解決手段】    洗面器のふちに、フック等がかかる穴をあける。【選択図】図１
2014133075.tif 000002
【特許請求の範囲】
【請求項１】
ふちに穴をあけることにより、フック等を利用し吊るして収納できるようにした洗面器
【発明の詳細な説明】
【技術分野】
【０００１】    本発明は、ふちに穴をあけることにより、フック等に吊るして収納できるようにした洗面器に関するものである。
【背景技術】
【０００２】    従来、使用していない時の洗面器は床においたり風呂椅子に立て掛けたりと特定の収納場所がない。
【発明の概要】
【発明が解決しようとする課題】
【０００３】    従来、洗面器は使用していない時は床においたり風呂椅子に立て掛けたりしている。そのため掃除の際に邪魔だったり、床との接地面が乾かずぬめりやすくなったりという問題点があった。
本発明は、以上の問題点を解決できるようにされたものである。
【課題を解決するための手段】
【０００４】    洗面器のふちにフック等をかけるための穴をあける。
本発明は、以上の構成により吊るして収納できる洗面器である。
【発明の効果】
【０００５】    本発明により、洗面器を吊るして収納できるため、邪魔にならず乾燥させやすくなる。
【図面の簡単な説明】
【０００６】
【図１】    本発明の斜視図である。
【図２】    本発明の使用見本図である。
【発明を実施するための形態】
【０００７】    以下、本発明の実施の形態を説明する。
（イ）洗面器のふちにフックをかけることのできる穴をあける。
本発明は以上の構成によりなる。
収納する場合は、壁かけフックやＳ字フック等を利用し吊るして収納する。
【符号の説明】
【０００８】    （１）洗面器、（２）穴、（３）タオルハンガー、（４）Ｓ字フック
【図１】
2014133075.tif 000003
【図２】
2014133075.tif 000004